(57)【要約】      （修正有）【課題】ＩＣコインに対するデータの読み取りと書き込みが迅速化でき、装置のコンパクト化と小型化に適した構成とする。【解決手段】ステッピングモータ２１で往復回転する縦方向支持の円盤状ロータ２３、このロータのＩＣコイン受け入れ部２２のＩＣコインの金額情報の読み取りと残額情報をＩＣコインに書き込むリードライト部２５、残額ゼロのＩＣコイン貯留部２６、残額情報のＩＣコイン返却部２７、待機位置にあるＩＣコイン受け入れ部に対応してリードライト部をロータに対して配置し、円盤状ロータの回転によってＩＣコイン返却部とＩＣコイン貯留部へＩＣコインを搬送する。【選択図】図１
2007260291.tif 000002
【特許請求の範囲】
【請求項１】
ＩＣコイン挿入部へ挿入されたＩＣコインを受け入れて、ＩＣコインに記憶された金額情報の読み取り、ＩＣコインへの金額情報の書き込み、ＩＣコインの返却等を行うＩＣコイン処理装置であって、ステッピングモータで往復回転駆動されるように縦方向に支持され１個のＩＣコインを受け入れ保持するＩＣコイン受け入れ部を備えた円盤状ロータと、前記ＩＣコイン挿入部へ挿入されたＩＣコインを前記ＩＣコイン受け入れ部へ導くＩＣコイン導入部と、前記挿入されたＩＣコインの金額情報の読み取りと遊技後の残額情報をＩＣコインに書き込むリードライト部と、遊技後の残額ゼロのＩＣコインを貯留するＩＣコイン貯留部と、遊技後の残額情報を持つＩＣコインを顧客へ返却するＩＣコイン返却部を備え、前記円盤状ロータの待機位置は前記ＩＣコイン受け入れ部が前記ＩＣコイン導入部に対応した位置であり、前記円盤状ロータの待機位置にある前記ＩＣコイン受け入れ部に対応して前記リードライト部が配置され、前記円盤状ロータの回転によって、前記ＩＣコイン返却部又は前記ＩＣコイン貯留部へ前記ＩＣコイン受け入れ部の該当するＩＣコインを搬送することを特徴とするＩＣコイン処理装置。
【請求項２】
前記ＩＣコイン返却部は、前記円盤状ロータの回転によって前記ＩＣコイン受け入れ部のＩＣコインが自体で下方へ移動する位置に設けられたことを特徴とする請求項１に記載のＩＣコイン処理装置。
【請求項３】
前記ＩＣコイン貯留部が前記円盤状ロータの一方向回転側に設けられ、前記ＩＣコイン返却部が前記円盤状ロータの逆方向回転側に設けられたことを特徴とする請求項１又は２に記載のＩＣコイン処理装置。
【請求項４】
ＩＣコイン挿入部へ挿入されたＩＣコインを受け入れて、ＩＣコインに記憶された金額情報の読み取り、ＩＣコインへの金額情報の書き込み、ＩＣコインの返却等を行うＩＣコイン処理装置であって、ステッピングモータで往復回転駆動されるように縦方向に支持され１個のＩＣコインを受け入れ保持するＩＣコイン受け入れ部を備えた円盤状ロータと、前記ＩＣコイン挿入部へ挿入されたＩＣコインを前記ＩＣコイン受け入れ部へ導くＩＣコイン導入部と、前記挿入されたＩＣコインの金額情報の読み取りと遊技後の残額情報をＩＣコインに書き込むリードライト部と、遊技後の残額ゼロのＩＣコインを貯留するＩＣコイン貯留部と、遊技後の残額情報を持つＩＣコインを顧客へ返却するＩＣコイン返却部と、前記リードライト部での金額情報の読み取り不良又は書き込み不良のＩＣコインを排出する不良ＩＣコイン排出部と、前記ＩＣコイン貯留部が満杯のとき遊技後の残額ゼロのＩＣコインを所定のストック場所へ導入するストック導入部を備え、前記円盤状ロータの待機位置は前記ＩＣコイン受け入れ部が前記ＩＣコイン導入部に対応した位置であり、前記円盤状ロータの待機位置にある前記ＩＣコイン受け入れ部に対応して前記リードライト部が配置され、前記円盤状ロータの回転によって、前記ＩＣコイン貯留部、前記ＩＣコイン返却部、不良ＩＣコイン排出部、ストック導入部の何れかへ前記ＩＣコイン受け入れ部の該当するＩＣコインを搬送することを特徴とするＩＣコイン処理装置。
【請求項５】
前記ＩＣコイン貯留部が前記円盤状ロータの一方向回転側に設けられ、前記ＩＣコイン返却部、不良ＩＣコイン排出部、ストック導入部が、前記円盤状ロータの逆方向回転側に設けられたことを特徴とする請求項４に記載のＩＣコイン処理装置。
【請求項６】
前記ＩＣコイン返却部、前記不良ＩＣコイン排出部、前記ストック導入部は、前記円盤状ロータの回転によって前記ＩＣコイン受け入れ部のＩＣコインが自体で下方へ移動する位置に設けられたことを特徴とする請求項４又は５に記載のＩＣコイン処理装置。
【請求項７】
前記ＩＣコイン受け入れ部の入口は常時開放しており、前記ＩＣコイン返却部、前記不良ＩＣコイン排出部、前記ストック導入部のそれぞれの入口には、それらの入口を閉じるシャッタが配置され、前記円盤状ロータの回転によって前記ＩＣコイン受け入れ部がそれらの入口のうちの一つに対応して停止した位置の入口の前記シャッタがソレノイドによって開放状態となる特徴とする請求項４又は６に記載のＩＣコイン処理装置。
【請求項８】
遊技媒体貸出機への貨幣の挿入に基づき、前記円盤状ロータが回転して、前記ＩＣコイン貯留部のＩＣコイン１個が前記ＩＣコイン受け入れ部に保持されると共に、前記リードライト部において前記貨幣金額相当の金額情報の書き込みを行うことを特徴とする請求項１乃至７の何れかに記載のＩＣコイン処理装置。
【請求項９】
前記ＩＣコイン導入部には、前記ＩＣコイン受け入れ部へ導入されるＩＣコインの個数が、１回の遊技ごとに１個となるように制限する装置を設けたことを特徴とする請求項１乃至８のいずれかに記載のＩＣコイン処理装置。
【請求項１０】
前記ＩＣコイン貯留部は、前記円盤状ロータの回転中心軸線と並行方向に向かって複数のＩＣコインが積層状態で貯留されることを特徴とする請求項１乃至９のいずれかに記載のＩＣコイン処理装置。
【発明の詳細な説明】
【技術分野】
【０００１】
本発明は、遊技機において遊技するために使用されるＩＣコインの金額情報の読み取り、遊技終了後の残額の書き込み等を行うＩＣコイン処理装置に関する。
【背景技術】
【０００２】
パチンコ機やスロットルマシン等の遊技機が複数台併設された遊技施設において、これら遊技機で使用されるパチンコ玉やメダル等の遊技媒体を貸し出す貸出機が、これら遊技機間に設置されており、遊技客が、この貸出機へ磁気式プリペイドカードを挿入して、パチンコ玉やメダル等の遊技媒体の貸し出しを受けるようになっていたが、この磁気式プリペイドカードに代わって、ＩＣコインが採用されている。
【０００３】
このＩＣコインは、概観形状が円盤状のコイン型をしており、合成樹脂製であって、演算処理装置であるＣＰＵや、プＣＰＵが動作するプログラムを記憶するＲＯＭや、金額データやＩＤコード等のデータを記憶するＲＡＭ等を備えたＩＣモジュールが内蔵されている。
【０００４】
このようなＩＣコインを貸出機に使用するものとして、投入されたＩＣコインの金額データ、残度数データ、ＩＤ番号等の管理データを非接触方式によって読み取るリードライト部をＩＣコインの投入口部分に配置し、リードライト部で読み取ったＩＣコインは、残度数がないもの及び読み取りエラーが生じたものは、ＩＣコイン返却経路から遊技客へ返却される。また、リードライト部で読み取ったＩＣコインに残度数がある場合は、リードライト部の後方にあるＩＣコイン収納部に収納されるが、この収納部が満杯のときは排出経路へ導入され、再利用を図る。また、返却スイッチが押されたとき、残度数がある場合は、ＩＣコイン収納部のＩＣコインがリードライト部へ搬送され、その残度数が書き込まれた後、そのＩＣコインは、下方のメイン搬送経路から返却経路を経て、返却口から遊技客へ返却される。このようものが公知である。（例えば、特許文献１参照）。
【特許文献１】特開２００１−２３２０４８号公報
【発明の開示】
【発明が解決しようとする課題】
【０００５】
上記の特許文献１のものは、投入したＩＣコインは、リードライト部で読み取った後、リードライト部の後方にあるＩＣコイン収納部に収納され、遊技終了によって返却スイッチが押されたとき、残度数がある場合は、ＩＣコイン収納部のＩＣコインがリードライト部へ搬送されて、その残度数が書き込まれる仕組みである。このため、読み取り後の収納と書き込み時の再搬送が必要となり、その分の時間が長くなる。また、ＩＣコイン収納部の下方へメイン搬送経路を形成し、この下端で返却経路と排出経路に分岐したため、装置が大きくなる傾向がある。
【０００６】
本発明は、このような点に鑑みて、ＩＣコインに対するデータの読み取りと書き込みの処理が迅速化でき、装置のコンパクト化と小型化に適した構成とし、遊技機間に設置される横幅の狭い遊技媒体貸出機に内蔵することに適したＩＣコイン処理装置を提供するものである。
【課題を解決するための手段】
【０００７】
第１発明のＩＣコイン処理装置は、ＩＣコイン挿入部へ挿入されたＩＣコインを受け入れて、ＩＣコインに記憶された金額情報の読み取り、ＩＣコインへの金額情報の書き込み、ＩＣコインの返却等を行うＩＣコイン処理装置であって、ステッピングモータで往復回転駆動されるように縦方向に支持され１個のＩＣコインを受け入れ保持するＩＣコイン受け入れ部を備えた円盤状ロータと、前記ＩＣコイン挿入部へ挿入されたＩＣコインを前記ＩＣコイン受け入れ部へ導くＩＣコイン導入部と、前記挿入されたＩＣコインの金額情報の読み取りと遊技後の残額情報をＩＣコインに書き込むリードライト部と、遊技後の残額ゼロのＩＣコインを貯留するＩＣコイン貯留部と、遊技後の残額情報を持つＩＣコインを顧客へ返却するＩＣコイン返却部を備え、前記円盤状ロータの待機位置は前記ＩＣコイン受け入れ部が前記ＩＣコイン導入部に対応した位置であり、前記円盤状ロータの待機位置にある前記ＩＣコイン受け入れ部に対応して前記リードライト部が配置され、前記円盤状ロータの回転によって、前記ＩＣコイン返却部又は前記ＩＣコイン貯留部へ前記ＩＣコイン受け入れ部の該当するＩＣコインを搬送することを特徴とする。
【０００８】
第２発明は、第１発明において、前記ＩＣコイン返却部は、前記円盤状ロータの回転によって前記ＩＣコイン受け入れ部のＩＣコインが自体で下方へ移動する位置に設けられたことを特徴とする。
【０００９】
第３発明は、第１発明又は第２発明において、前記ＩＣコイン貯留部が前記円盤状ロータの一方向回転側に設けられ、前記ＩＣコイン返却部が前記円盤状ロータの逆方向回転側に設けられたことを特徴とする。
【００１０】
第４発明のＩＣコイン処理装置は、ＩＣコイン挿入部へ挿入されたＩＣコインを受け入れて、ＩＣコインに記憶された金額情報の読み取り、ＩＣコインへの金額情報の書き込み、ＩＣコインの返却等を行うＩＣコイン処理装置であって、ステッピングモータで往復回転駆動されるように縦方向に支持され１個のＩＣコインを受け入れ保持するＩＣコイン受け入れ部を備えた円盤状ロータと、前記ＩＣコイン挿入部へ挿入されたＩＣコインを前記ＩＣコイン受け入れ部へ導くＩＣコイン導入部と、前記挿入されたＩＣコインの金額情報の読み取りと遊技後の残額情報をＩＣコインに書き込むリードライト部と、遊技後の残額ゼロのＩＣコインを貯留するＩＣコイン貯留部と、遊技後の残額情報を持つＩＣコインを顧客へ返却するＩＣコイン返却部と、前記リードライト部での金額情報の読み取り不良又は書き込み不良のＩＣコインを排出する不良ＩＣコイン排出部と、前記ＩＣコイン貯留部が満杯のとき遊技後の残額ゼロのＩＣコインを所定のストック場所へ導入するストック導入部を備え、前記円盤状ロータの待機位置は前記ＩＣコイン受け入れ部が前記ＩＣコイン導入部に対応した位置であり、前記円盤状ロータの待機位置にある前記ＩＣコイン受け入れ部に対応して前記リードライト部が配置され、前記円盤状ロータの回転によって、前記ＩＣコイン貯留部、前記ＩＣコイン返却部、不良ＩＣコイン排出部、ストック導入部の何れかへ前記ＩＣコイン受け入れ部の該当するＩＣコインを搬送することを特徴とする。
【００１１】
第５発明は、第４発明において、前記ＩＣコイン貯留部が前記円盤状ロータの一方向回転側に設けられ、前記ＩＣコイン返却部、不良ＩＣコイン排出部、ストック導入部が、前記円盤状ロータの逆方向回転側に設けられたことを特徴とする。
【００１２】
第６発明は、第４発明又は第５発明において、前記ＩＣコイン返却部、前記不良ＩＣコイン排出部、前記ストック導入部は、前記円盤状ロータの回転によって前記ＩＣコイン受け入れ部のＩＣコインが自体で下方へ移動する位置に設けられたことを特徴とする。
【００１３】
第７発明は、第４発明又は第６発明において、前記ＩＣコイン受け入れ部の入口は常時開放しており、前記ＩＣコイン返却部、前記不良ＩＣコイン排出部、前記ストック導入部のそれぞれの入口には、それらの入口を閉じるシャッタが配置され、前記円盤状ロータの回転によって前記ＩＣコイン受け入れ部がそれらの入口のうちの一つに対応して停止した位置の入口の前記シャッタがソレノイドによって開放状態となる特徴とする。
【００１４】
第８発明は、第１発明乃至第７発明において、遊技媒体貸出機への貨幣の挿入に基づき、前記円盤状ロータが回転して、前記ＩＣコイン貯留部のＩＣコイン１個が前記ＩＣコイン受け入れ部に保持されると共に、前記リードライト部において前記貨幣金額相当の金額情報の書き込みを行うことを特徴とする。
【００１５】
第９発明は、第１発明乃至第８発明において、前記ＩＣコイン導入部には、前記ＩＣコイン受け入れ部へ導入されるＩＣコインの個数が、１回の遊技ごとに１個となるように制限する装置を設けたことを特徴とする。
【００１６】
第１０発明は、第１発明乃至第９発明において、前記ＩＣコイン貯留部は、前記円盤状ロータの回転中心軸線と並行方向に向かって複数のＩＣコインが積層状態で貯留されることを特徴とする。
【発明の効果】
【００１７】
第１の発明では、円盤状ロータの回転によって、遊技後の残額ゼロのＩＣコインはＩＣコイン貯留部へ搬送され、遊技後の残額情報を持つＩＣコインは顧客へ返却するべくＩＣコイン返却部へ搬送されるため、ＩＣコイン貯留部とＩＣコイン返却部へのＩＣコインの搬送路が円形経路となり、これらを縦方向に形成するものに比して小型化できる。また、円盤状ロータの待機位置が、ＩＣコイン受け入れ部がＩＣコイン導入部に対応した位置であり、この待機位置におけるＩＣコイン導入部に対応してリードライト部が配置されている。これによって、遊技のために挿入されたＩＣコインが待機位置に留まった状態で、そのＩＣコインから金額情報等の読み取りと、遊技後の金額情報の書き込みが行えることとなり、ＩＣコインを往復させてこれらの動作を行うものに比してスピーディーとなり、顧客の待ち時間も短くできる。このため、ＩＣコインに対する金額情報等の読み取りと書き込みの処理が迅速化でき、装置のコンパクト化と小型化に適した構成となり、遊技機間に設置される横幅の狭い遊技媒体貸出機に内蔵することに適したＩＣコイン処理装置を提供することができる。
【００１８】
第２発明では、第１発明の効果に加えて、円盤状ロータの回転によって、ＩＣコイン受け入れ部がＣコイン返却部へ対応する位置になったとき、ＩＣコイン自体でもってＩＣコイン返却部へ移動することにより、駆動力なしにＩＣコインの返却がスムースに行えるものとなる。
【００１９】
第３発明では、第１発明又は第２発明の効果に加えて、ＩＣコイン返却部を円盤状ロータの中心よりも下部領域に配置し、ＩＣコイン貯留部を円盤状ロータの中心よりも上部領域に配置することによって、ＩＣコイン受け入れ部がＩＣコイン返却部に対応した状態では、ＩＣコイン自体が転動又はスライドでもって移動できることとなり、駆動力なしにＩＣコインの返却がスムースに行えるものとなる。また、縦方向に支持され円盤状ロータによってＩＣコインを目的の位置へ搬送する方式において、複数枚のＩＣコインを貯えるためのＩＣコイン貯留部の配置がＩＣコイン返却部とは遠くなり、ＩＣコイン返却部による配置制限を受けることなく、小型化を達成する設計が容易となる。
【００２０】
第４発明では、円盤状ロータの回転によって、ＩＣコイン貯留部、ＩＣコイン返却部、不良ＩＣコイン排出部、ストック導入部の何れかへ該当するＩＣコインを搬送する搬送路が円形経路となり、これらを縦方向に形成するものに比して小型化できる。また、円盤状ロータの待機位置が、ＩＣコイン受け入れ部がＩＣコイン導入部に対応した位置であり、この待機位置におけるＩＣコイン導入部に対応してリードライト部が配置されている。これによって、遊技のために挿入されたＩＣコインが待機位置に留まった状態で、そのＩＣコインから金額情報等の読み取りと、遊技後の金額情報の書き込みが行えることとなり、ＩＣコインを往復させてこれらの動作を行うものに比してスピーディーとなり、顧客の待ち時間も短くできる。このため、ＩＣコインに対する金額情報等の読み取りと書き込みの処理が迅速化でき、装置のコンパクト化と小型化に適した構成となり、遊技機間に設置される横幅の狭い遊技媒体貸出機に内蔵することに適したＩＣコイン処理装置を提供することができる。
【００２１】
第５発明では、第４発明の効果に加えて、縦方向に支持され円盤状ロータによってＩＣコインを目的の位置へ搬送する方式において、複数枚のＩＣコインを貯えるためのＩＣコイン貯留部の配置が、ＩＣコイン返却部、不良ＩＣコイン排出部及びストック導入部から遠くなり、これらの部分による配置制限を受けることなく、小型化を達成する設計が容易となる。
【００２２】
第６発明では、第４発明又は第５発明の効果に加えて、円盤状ロータの回転によって、ＩＣコイン受け入れ部が、それぞれＩＣコイン返却部、不良ＩＣコイン排出部、ストック導入部に対応する位置になったとき、ＩＣコイン自体が転動又はスライドでもって移動するため、駆動力なしにＩＣコインの返却、排出、ストックがスムースに行えるものとなる。
【００２３】
第７発明は、第４発明又は第６発明の効果に加えて、ＩＣコイン受け入れ部の入口は常時開放しているため、ＩＣコイン導入部のＩＣコインはそのままＩＣコイン受け入れ部へ入る。そして、円盤状ロータの回転によってＩＣコイン受け入れ部が、ＩＣコイン返却部、不良ＩＣコイン排出部、ストック導入部のいずれかの入口に対応して停止したとき、その入口のシャッタが開くため、ＩＣコイン返却部、不良ＩＣコイン排出部、ストック導入部を円盤状ロータの中心よりも下部領域に配置した場合には、ＩＣコイン自体が転動又はスライドでもって、その対応した入口へ入るため、移動することとなり、駆動力なしにＩＣコインの返却、排出、ストックがスムースに行えるものとなる。
【００２４】
第８発明では、第１発明乃至第７発明の効果に加えて、金額情報が書き込まれたＩＣコインを購入する場合には、遊技媒体貸出機へ貨幣を挿入することによって、新たなＩＣコインを供給する必要があるが、その場合にも、円盤状ロータが回転して、ＩＣコイン貯留部のＩＣコイン１個がリードライト部へ搬送され、そこで正規の貨幣金額が書き込まれ、そのままこの位置で保持されることとなり、以後の動作の終了までの時間短縮が図れる。
【００２５】
第９発明では、第１発明乃至第８発明の効果に加えて、ＩＣコイン導入部には、ＩＣコイン受け入れ部へ導入されるＩＣコインの個数が、１回の遊技ごとに１個となるように制限するため、複数のＩＣコインが挿入された場合にも、円盤状ロータの回転の支障とならず、安定した動作が得られるものとなる。
【００２６】
第１０発明では、第１発明乃至第９発明の効果に加えて、ＩＣコイン貯留部は、円盤状ロータの回転中心軸線と並行方向に向かって複数のＩＣコインが積層状態で貯留されるため、ＩＣコイン貯留部を円盤状ロータの円周の外側にＩＣコインが順次連なるように長く形成した場合に比して、ＩＣコイン貯留部が小型化でき、遊技機間に設置される横幅の狭い遊技媒体貸出機に内蔵することに適したＩＣコイン処理装置を提供することができる。
【発明を実施するための最良の形態】
【００２７】
本発明のＩＣコイン処理装置は、ＩＣコイン挿入部へ挿入されたＩＣコインを受け入れて、ＩＣコインに記憶された金額情報の読み取り、ＩＣコインへの金額情報の書き込み、ＩＣコインの返却等を行うＩＣコイン処理装置であって、ステッピングモータで往復回転駆動されるように縦方向に支持され１個のＩＣコインを受け入れ保持するＩＣコイン受け入れ部を備えた円盤状ロータと、前記ＩＣコイン挿入部へ挿入されたＩＣコインを前記ＩＣコイン受け入れ部へ導くＩＣコイン導入部と、前記挿入されたＩＣコインの金額情報の読み取りと遊技後の残額情報をＩＣコインに書き込むリードライト部と、遊技後の残額ゼロのＩＣコインを貯留するＩＣコイン貯留部と、遊技後の残額情報を持つＩＣコインを顧客へ返却するＩＣコイン返却部を備え、前記円盤状ロータの待機位置は前記ＩＣコイン受け入れ部が前記ＩＣコイン導入部に対応した位置であり、前記円盤状ロータの待機位置にある前記ＩＣコイン受け入れ部に対応して前記リードライト部が配置され、前記円盤状ロータの回転によって、前記ＩＣコイン返却部又は前記ＩＣコイン貯留部へ前記ＩＣコイン受け入れ部の該当するＩＣコインを搬送するものであり、本発明の実施例を以下に記載する。
【実施例１】
【００２８】
次に、本発明のＩＣコイン処理装置の実施形態について説明する。図１は本発明に係るＩＣコイン処理装置を備えた遊技媒体貸出機の内部構成を説明する側面図、図２は本発明に係るＩＣコイン処理装置を備えた遊技媒体貸出機の正面斜視図、図３は本発明に係る遊技媒体貸出機と遊技機が併設された遊技装置の正面図、図４は本発明に係る円盤状ロータとＩＣコイン処理装置の各部の関係を示す側面図、図５は本発明に係るＩＣコイン処理装置の縦断面図である。
【００２９】
本発明の実施の形態を図に基づき説明する。１は遊技機であり、パチンコ機やスロットマシン（パチスロ機）等の遊技機を示す。２は遊技機１に併設される遊技媒体貸出機である。遊技機１がパチンコ機の場合は、遊技媒体貸出機２は払い出し口からパチンコ玉をパチンコ機の受け皿１Ｄに払い出し、遊技機１がスロットマシン（パチスロ機）の場合は、遊技媒体貸出機２は払い出し口に接続したノズル１７から遊技メダル２００をスロットマシン（パチスロ機）の受け皿１Ｄに払い出す。図１に示すものは、遊技機１がスロットマシン（パチスロ機）の場合であるため、遊技媒体貸出機２は払い出し口に接続したノズル１７から遊技メダル２００をスロットマシン（パチスロ機）の受け皿１Ｄに払い出す。
【００３０】
図３には、横並びに設置した遊技機１がスロットマシン（パチスロ機）の場合を示しており、その１台のスロットマシン（パチスロ機）１を代表として、その構成を説明する符号を付している。これにおいて、上記の払い出された遊技メダル２００を遊技機１のメダル挿入口１Ｅへ挿入することによって、遊技機１での遊技が可能となる。即ち、遊技機１がスロットマシン（パチスロ機）の場合は、メダル挿入口１Ｅに遊技に必要な最低１枚のメダル２００を挿入した状態において、スタートレバー１Ｆを操作することにより、３個のリール１Ａ、１Ｂ、１Ｃが回転する。この状態でタイミングを見て３個のストップボタン１Ａ１、１Ｂ１、１Ｃ１を押すことにより、リール１Ａ、１Ｂ、１Ｃが順次停止し、表面に表示された各リールの図柄や数字の組み合わせに応じて、入賞メダルが払い出し口ノズル１７からメダル受け皿１Ｄに払い出される仕組みである。以後、パチンコ玉と遊技メダルを含めて、遊技媒体を符号２００で示すこととする。
【００３１】
遊技客が、この遊技媒体貸出機２へ磁気式プリペイドカードを挿入して、パチンコ玉やメダル等の遊技媒体の貸し出しを受ける代わりに、磁気式プリペイドカードに代わって、ＩＣコインが採用されている。本発明は、このＩＣコインを遊技媒体貸出機２へ挿入して遊技媒体の貸し出しを受ける方式において、挿入されたＩＣコインが持つ情報（データ）の読み出しとＩＣコインへの情報（データ）の書き込み等を行うＩＣコイン処理装置に関するものである。
【００３２】
遊技媒体貸出機２は、金額情報を持ったＩＣコイン１０の挿入によって、正規の遊技媒体２００を遊技機１の受け皿１Ｄに払い出す。これに関する遊技媒体貸出機２の構成を以下に説明する。遊技媒体貸出機２は、前面側に貨幣挿入口１１、表示器１２、ＩＣコイン挿入口１３、遊技媒体払い出しボタン１４、ＩＣコイン返却口１５、ＩＣコイン返却ボタン１６、遊技媒体払い出し口ノズル１７等を配置している。また、遊技媒体貸出機２内には、貨幣挿入口１１に挿入された紙幣の識別機能を有する紙幣識別装置１８、所定数の遊技媒体２００を払い出す遊技媒体供給部１９、ＩＣコイン処理装置２０等を備えている。
【００３３】
次に、ＩＣコイン処理装置２０について説明する。ＩＣコイン処理装置２０は、遊技媒体貸出機２のＩＣコイン挿入口１３へ挿入されたＩＣコイン１０を受け入れて、ＩＣコイン１０に記憶された金額情報の読み取り、ＩＣコイン１０への金額情報の書き込み、ＩＣコイン１０の返却等を行うものであり、ステッピングモータ２１で往復回転駆動されるように縦方向に支持され１個のＩＣコイン１０を受け入れ保持するＩＣコイン受け入れ部２２を備えた円盤状ロータ２３と、ＩＣコイン挿入部１３に挿入されたＩＣコイン１０をＩＣコイン受け入れ部２２へ導くＩＣコイン導入部２４と、挿入されたＩＣコイン１０の金額情報の読み取りと遊技後の残額情報をＩＣコイン１０に書き込むリードライト部２５と、遊技後の残額ゼロのＩＣコイン１０を貯留するＩＣコイン貯留部２６と、遊技後の残額情報を持つＩＣコイン１０を遊技客へ返却するＩＣコイン返却部２７を備えている。
【００３４】
ＩＣコイン貯留部２６が十分な数のＩＣコイン１０を貯留できる場合は、ＩＣコイン導入部２４に対して、ＩＣコイン貯留部２６を円盤状ロータ２３の一方向回転側（図１及び図４では反時計回り側）に設け、ＩＣコイン返却部２７を円盤状ロータ２３の逆方向回転側（図１及び図４では時計回り側）に設ければよい。実施例では、できるだけ横幅の狭い遊技媒体貸出機に内蔵することに適したＩＣコイン処理装置２０とするために、ＩＣコイン貯留部２６に限られた数のＩＣコイン１０を貯留できるようにし、それ以上の数のＩＣコイン１０、即ちオーバーフローするＩＣコインをストック導入部２９へ導入するようにしている。
【００３５】
このため、ＩＣコイン貯留部２６が満杯のとき遊技後の残額ゼロのＩＣコイン１０を所定のストック場所へ導入するストック導入部２９を設けている。また、リードライト部２５での金額情報の読み取り不良又は書き込み不良のＩＣコイン１０を排出する不良ＩＣコイン排出部２８を設けている。円盤状ロータ２３の初期作動開始位置、即ち、円盤状ロータ２３の待機位置は、ＩＣコイン受け入れ部２２がＩＣコイン導入部２４に対応した位置であり、円盤状ロータ２３の待機位置にあるＩＣコイン受け入れ部２２に対応してリードライト部２５が配置されている。そして、円盤状ロータ２３の上記逆方向回転側（図１及び図４では時計回り側）に、ＩＣコイン貯留部２６、ＩＣコイン返却部２７、不良ＩＣコイン排出部２８、ストック導入部２９を配置し、円盤状ロータ２３の回転によって、ＩＣコイン貯留部２６、ＩＣコイン返却部２７、不良ＩＣコイン排出部２８、ストック導入部２９の何れかへ、ＩＣコイン受け入れ部２２の該当するＩＣコイン１０を搬送するものである。
【００３６】
次に、この構成を更に具体的に説明する。円盤状ロータ２３は、相互に組み合わさった第１基板３０と第２基板３１との間に配置されていて、中心軸２３Ａを第１基板３０に軸受け３２でもって回転可能に支持されており、円盤状ロータ２３の外周は、第１基板３０に形成した（第２基板３１に形成してもよい）円形配置の周囲壁４６に近接状態で囲まれている。第１基板３０と第２基板３１とは、それぞれ上下各２箇所において、第１基板３０の弾性係合爪３０Ａが第２基板３１の係合孔３１Ａに係止して組み合わさっている。１個のＩＣコイン１０を受け入れ保持する大きさのＩＣコイン受け入れ部２２は、円盤状ロータ２３に切り欠き又は窪みにて形成されており、ＩＣコイン導入部２４からＩＣコイン１０が障害なく導入されるようにするために、奥部から円盤状ロータ２３の円周面の入口に向けて略扇形に開いた形状をなす。この略扇形に開いたＩＣコイン受け入れ部２２の入口開口幅は、ＩＣコイン導入部２４の出口幅よりも若干大きい寸法である。このため、図１及び図４に示すように、円盤状ロータ２３がＩＣコイン１０を受け入れる待機位置においては、ＩＣコイン受け入れ部２２の入口開口幅内にＩＣコイン導入部２４の出口が対応する状態である。
【００３７】
ＩＣコイン導入部２４、ＩＣコイン返却部２７、不良ＩＣコイン排出部２８、及びストック導入部２９は、円盤状ロータ２３の円周に沿った配置状態であり、第１基板３０と第２基板３１の間に配置されるようにするために、ＩＣコイン１０の厚さよりも若干大なる寸法の厚さと、ＩＣコイン１０の直径より若干大なる幅を有するＩＣコイン通路をなし、第１基板３０または第２基板３１に窪んで形成されている。実施例では、これらは第１基板３０に形成している。これによって、図１及び図４に示すように、ＩＣコイン導入部２４のＩＣコイン１０は、立った状態でこのＩＣコイン通路を転動またはスライドによって斜め下方へ移動し、ＩＣコイン返却部２７、不良ＩＣコイン排出部２８、及びストック導入部２９のＩＣコイン１０は、立った状態でこのＩＣコイン通路を転動またはスライドによって斜め下方へ移動する。
【００３８】
円盤状ロータ２３の往復回転によって、ＩＣコイン受け入れ部２２のＩＣコイン１０を所定の場所へ搬送するものであるため、ＩＣコイン導入部２４に対して、ＩＣコイン貯留部２６を円盤状ロータ２３の一方向回転側（図１及び図４では反時計回り側）に設け、ＩＣコイン返却部２７、不良ＩＣコイン排出部２８、ストック導入部２９は、円盤状ロータ２３の逆方向回転側（図１及び図４では時計回り側）に設けられている。ＩＣコイン返却部２７、不良ＩＣコイン排出部２８、ストック導入部２９は、円盤状ロータ２３の回転によってＩＣコイン受け入れ部２２が対応したとき、ＩＣコイン受け入れ部２２のＩＣコイン１０が、動力なしにＩＣコイン１０自体で転動またはスライドによって移動するように、円盤状ロータ２３の回転中心Ｐより下方位置において、斜め下方へ傾斜した通路構成となっている。また、ＩＣコイン貯留部２６は、円盤状ロータ２３のＩＣコイン受け入れ部２２に対応する半径上で一方の側面に略垂直の立設状態であり、円盤状ロータ２３の直径内の配置であることによって小型化に寄与する。
【００３９】
ＩＣコイン返却部２７へ導入されたＩＣコイン１０は、ＩＣコイン返却口１５へ導出されて遊技客へ返却され、不良ＩＣコイン排出部２８へ導入されたＩＣコイン１０も、ＩＣコイン返却部２７へ導出されて遊技客へ返却される。また、ストック導入部２９へ導入されたＩＣコイン１０は、ＩＣコインストック部３４へ導入されて貯留される。
【００４０】
ＩＣコイン受け入れ部２２の入口は常時開放しており、円盤状ロータ２３の待機位置において、ＩＣコイン受け入れ部２２の入口がＩＣコイン導入部２４の出口に対応する状態である。ＩＣコイン返却部２７、不良ＩＣコイン排出部２８、ストック導入部２９のそれぞれの入口には、それらの入口を常時閉じるシャッタ３５、３６、３７が第１基板３０または第２基板３１に配置され、これらのシャッタ３５、３６、３７は、第１基板３０または第２基板３１に取り付けたソレノイド３８の励磁によって、その入口を開放状態とするように動作する。このため、円盤状ロータ２３の回転によってＩＣコイン受け入れ部２２が、それらの入口のうちの一つに対応して停止したとき、その位置の入口を開くように、ソレノイド３８によってその入口を開放状態とする。
【００４１】
シャッタ３５、３６、３７は、それぞれ作動腕３５Ａ、３６Ａ、３７Ａの中間部を回動可能に軸支持部５４、５５、５６で支持されており、作動腕３５Ａ、３６Ａ、３７Ａの先端部は、ソレノイド３８の作動部材３８Ａの先端部分に対応している。このため、ソレノイド３８が非励磁のときは、作動腕３５Ａ、３６Ａ、３７Ａに付与したバネ（図示せず）によって、シャッタ３５、３６、３７が、それぞれ対応するＩＣコイン返却部２７、不良ＩＣコイン排出部２８、ストック導入部２９の入口を閉じるように突出している。そして、ソレノイド３８の非励磁によって、ソレノイド３８の作動部材３８Ａの先端部分が、円盤状ロータ２３の中心軸２３Ａの軸線Ｐ方向に作動して（図４で紙面の手前側へ作動）、前記バネ力に抗して軸支持部５４、５５、５６を支点として回動させ、シャッタ３５、３６、３７が、それぞれ対応するＩＣコイン返却部２７、不良ＩＣコイン排出部２８、ストック導入部２９の入口を開くように退避する（図４で紙面の奥側へ作動する）構成である。
【００４２】
遊技媒体貸出機２の貨幣挿入口１１への貨幣（実施例では、１０００円紙幣）が挿入された場合は、この挿入に基づき、待機位置にあった円盤状ロータ２３が回転して、ＩＣコイン受け入れ部２２がＩＣコイン貯留部２６に対応した位置に停止し、ＩＣコイン貯留部２６のＩＣコイン１０の１個が、ＩＣコイン受け入れ部２２に供給されて保持された後、円盤状ロータ２３が待機位置に回転して停止する。この位置において、リードライト部２５によって貨幣金額相当の金額情報（実施例では、１０００円情報）の書き込みが行われる。
【００４３】
ＩＣコイン挿入口１３から挿入されたＩＣコイン１０は、ＩＣコイン導入部２４からＩＣコイン受け入れ部２２へ導入されるが、この場合、ＩＣコイン導入部２４には、１個のＩＣコイン１０がＩＣコイン受け入れ部２２へ導入されるように制限する個数制限装置４０を備えている。個数制限装置４０は、第１基板３０又は第２基板３１に設けられ、ソレノイド４１と、ソレノイド４１によって中間の軸支持４３を支点としてシーソー動作をする作動部材４２を備え、作動部材４２は、ＩＣコイン１０の１個が入る間隔をもって上流側の突起４２Ａと下流側の突起４２Ｂを形成している。
【００４４】
ソレノイド４１が非励磁のときは上流側の突起４２ＡがＩＣコイン導入部２４から退避すると共に下流側の突起４２ＢがＩＣコイン導入部２４へ突出した状態となって、下流側の突起４２ＢによってＩＣコイン１０が保持され、ソレノイド４の励磁によって、上流側の突起４２ＡがＩＣコイン導入部２４へ突出すると共に下流側の突起４２ＢがＩＣコイン導入部２４から退避するため、保持されていたＩＣコイン１０（先行ＩＣコインと称することとする）は、それ自体で転動またはスライドによってＩＣコイン受け入れ部２２へ移動する。
【００４５】
このとき、もし後続のＩＣコイン１０があれば、その後続のＩＣコイン１０は、ＩＣコイン導入部２４へ突出している上流側の突起４２Ａによって、下流側への移動が制限された状態に保持される。先行ＩＣコインがＩＣコイン受け入れ部２２へ導入されたタイミングで、ソレノイド４１が非励磁となり、上流側の突起４２ＡがＩＣコイン導入部２４から退避すると共に下流側の突起４２ＢがＩＣコイン導入部２４へ突出した状態となるため、後続のＩＣコイン１０は、上流側の突起４２Ａによる拘束が解かれて下方へ自体で移動し、下流側の突起４２Ｂによって保持された状態となる。このように、ＩＣコイン導入部２４からＩＣコイン受け入れ部２２へ供給されるＩＣコイン１０の個数は、個数制限装置４０のソレノイド４１の励磁によって１個ずつに制限される動作が得られる。
【００４６】
ＩＣコイン貯留部２６は、円盤状ロータ２３の回転中心軸線Ｐと並行方向（横方向）に向かって複数のＩＣコインが積層状態で貯留される構成である。実施例では、１０枚のＩＣコイン１０を貯留する構成である。このため、第１基板３０または第２基板３１には、下端が開口したＩＣコイン貯留筒４４と、その下端開口部において円盤状ロータ２３のＩＣコイン受け入れ部２２から１枚のＩＣコイン１０をＩＣコイン貯留筒４４内に入れ、ＩＣコイン貯留筒４４から１枚のＩＣコイン１０をＩＣコイン受け入れ部２２へ出すように動作するＩＣコイン出し入れ機構部４５を備えている。
【００４７】
円盤状ロータ２３は、その外周面に外周歯車４７を形成し、この歯車４７にステッピングモータ２１の回転軸に備えた駆動歯車４８が噛み合っており、ステッピングモータ２１の一方回転（正方向回転ともいう）と逆方向回転によって、円盤状ロータ２３が一方回転（正方向回転ともいう）と逆方向回転を行う。また、点検やサービスのために、円盤状ロータ２３を手動で回せるようにするために、外周歯車４７に噛み合う補助歯車４９を備えている。ステッピングモータ２１と補助歯車４９は、第１基板３０または第２基板３１に取り付けられ、補助歯車４９は手で回すための操作つまみを備えている。
【００４８】
ＩＣコイン１０は、外観形状が扁平な円形状、所謂コイン状をなしており、表面と裏面の何れか又は両面に価値、即ち金額数値（実施例では１０００）が表示された合成樹脂製である。そして、ＩＣコイン１０内には、ＩＣモジュールが埋設され、ＩＣモジュールは、演算処理装置であるＣＰＵ、プログラムを記憶したＲＯＭや金額情報等の情報（データ）の書き込み・消去可能な不揮発性メモリなどのメモリ、アンテナ、Ａ／Ｄ変換部など備えている。
【００４９】
このような構成において、遊技客が遊技を行う場合について説明する。待機状態ではソレノイド４１が非励磁であり、円盤状ロータ２３は、ＩＣコイン受け入れ部２２の入口がＩＣコイン導入部２４の出口に対応する状態である。遊技客が１０００円の金額情報を持つＩＣコイン１０をＩＣコイン挿入口１３に挿入すると、ＩＣコイン１０はＩＣコイン導入部２４へ入り、下流側の突起４２Ｂによって保持される。続いて２枚目のＩＣコイン１０が挿入された場合は、１枚目のＩＣコイン１０に当接して停止する。このとき、上流側の突起４２Ａは、この当接部の両側に形成される１枚目のＩＣコイン１０と２枚目のＩＣコイン１０の間の隙間に臨む状態である。
【００５０】
ここで、スタートボタンに相当する遊技媒体払い出しボタン１４を押すことによって、ソレノイド４１が励磁して、上流側の突起４２ＡがＩＣコイン導入部２４へ突出して２枚目のＩＣコイン１０の移動を阻止すると共に、下流側の突起４２ＢがＩＣコイン導入部２４から退避して、保持していた１枚目のＩＣコイン１０（先行ＩＣコイン）は、自体で転動またはスライドによってＩＣコイン受け入れ部２２へ移動する。ＩＣコイン受け入れ部２２に入ったＩＣコイン１０は、リードライト部２５によって、金額情報（実施例では、１０００円情報）やＩＤコード、有効利用時間情報等の管理情報（データ）が読み取られる。リードライト部２５によって読み取られたこれらの管理情報は、制御部５０に送られる。リードライト部２５は、ＩＣコイン１０の管理情報（データ）を非接触状態でもって読み取り、また後述のように書き込むものであり、ＩＣコイン受け入れ部２２に対応してリードライト部２５としてのアンテナが、待機位置にあるＩＣコイン受け入れ部２２に対応して、第１基板３０または第２基板３１に配置されており、管理情報の読み取りと書き込みを行う回路部分は、制御部５０に備えればよい。
【００５１】
読み取った金額情報の数字１０００が表示器１２に表示される。読み取った金額情報が、１回の遊技に必要な金額（例えば、５００円）以上であれば、遊技媒体供給部１９から１回の遊技に必要な数の遊技媒体（パチンコ玉やメダル等）を払い出し、この払い出された遊技媒体は、遊技媒体払い出し口ノズル１７を通して遊技機１の受け皿１Ｄへ供給される。この遊技媒体の払い出しと共に５００円相当の金額が制御部５０によって減算され、この残額がリードライト部２５によって、ＩＣコイン受け入れ部２２に入っているＩＣコイン１０に書き込まれる。表示器１２には、この残額を示す数字５００が表示される。
【００５２】
この残額はもう１回の遊技が可能であるため、このＩＣコイン１０を返却することなく継続して２回目の遊技を行う場合は、再度スタートボタンに相当する遊技媒体払い出しボタン１４を押すことによって、上記同様の動作が行われて、リードライト部２５によって、残額の金額情報（実施例では、５００円情報）やＩＤコード、有効利用時間情報等の管理情報（データ）が読み取られる。そして、所定数の遊技媒体（パチンコ玉やメダル等）を払い出し、この払い出された遊技媒体は、遊技媒体払い出し口ノズル１７を通して遊技機１の受け皿１Ｄへ供給される。この遊技媒体の払い出しと共に５００円相当の金額が制御部５０によって減算され、残額ゼロがリードライト部２５によって、ＩＣコイン受け入れ部２２に入っているＩＣコイン１０に書き込まれる。表示器１２には、この残額ゼロを示す数字０が表示される。
【００５３】
この残額ゼロとなったことによって、制御部５０によって所定数のパルス信号が供給されてステッピングモータ２１が回転して、円盤状ロータ２３を一方向回転（図では反時計方向回転）させて、ＩＣコイン受け入れ部２２をＩＣコイン貯留部２６に対応した位置に停止させる。この位置で出し入れ機構部４５によって、ＩＣコイン受け入れ部２２のＩＣコイン１０をＩＣコイン貯留筒４４へ収納する。この動作終了のタイミングでもって、又はこの動作終了検知スイッチ（図示せず）が検知したとき、制御部５０によって所定数のパルス信号が供給されて、ステッピングモータ２１が逆回転して、円盤状ロータ２３を逆方向回転（図では時計方向回転）させて、ＩＣコイン受け入れ部２２をＩＣコイン導入部２４に対応した待機位置に停止させる。このような円盤状ロータ２３の停止制御は、前記所定数のパルス信号によって行っているが、安全のために円盤状ロータ２３の位置検知、即ち、ＩＣコイン受け入れ部２２がＩＣコイン貯留部２６に対応した位置に達したとき作動する位置検知スイッチを設けて、この位置検知スイッチと前記所定数のパルス信号の何れかによって、円盤状ロータ２３が所定位置に達したこととなったとき、円盤状ロータ２３の停止制御を行うようにすればよい。
【００５４】
上記において、１回目の遊技が終了した時点で５００円相当の金額が残っているため、遊技客はこのＩＣコイン１０を手許に戻すことができる。この場合は、ＩＣコイン返却ボタン１６を押せば、制御部５０によって所定数のパルス信号が供給されて、ステッピングモータ２１が逆回転して、円盤状ロータ２３を逆方向回転（図では時計方向回転）させて、ＩＣコイン受け入れ部２２をＩＣコイン返却部２７に対応した位置に停止させる。そして、ソレノイド３８の励磁によって、その入口を閉じていたシャッタ３５が退避することにより、ＩＣコイン返却部２７の入口が開放されるため、ＩＣコイン受け入れ部２２のＩＣコイン１０は支えを失ってＩＣコイン返却部２７に導入され、ＩＣコイン返却口１５へ排出され、遊技客へ返却される。この場合も上記同様に、円盤状ロータ２３の停止制御のために、円盤状ロータ２３の位置検知スイッチを設けて、この位置検知スイッチと前記所定数のパルス信号の何れかによって、円盤状ロータ２３が所定位置に達したこととなったとき、円盤状ロータ２３の停止制御を行うようにすればよい。
【００５５】
ＩＣコイン返却部２７には、そこを通貨するＩＣコイン１０の通過を非接触で検知する光センサ５１を備えている。この光センサ５１でＩＣコイン１０の通過を検知したとき、即ち、この光センサ５１をＩＣコイン１０が通過し終わったとき、励磁していたソレノイド３８を非励磁とするように、制御部５０によって制御する。ソレノイド３８の非励磁によって、シャッタ３５が突出して、ＩＣコイン返却部２７の入口が閉ざされる。シャッタ３５は、周囲壁４６と同じ円周上に配置されている。また、光センサ５１をＩＣコイン１０が通過し終わったとき、制御部５０によって所定数のパルス信号が供給されて、ステッピングモータ２１が回転して、円盤状ロータ２３を図では反時計方向回転させて、ＩＣコイン受け入れ部２２をＩＣコイン導入部２４に対応した待機位置に停止させる。この場合も上記同様に、円盤状ロータ２３の停止制御のために、円盤状ロータ２３の位置検知スイッチを設けて、この位置検知スイッチと前記所定数のパルス信号の何れかによって、円盤状ロータ２３が所定位置に達したこととなったとき、円盤状ロータ２３の停止制御を行うようにすればよい。
【００５６】
また、上記において、ＩＣコイン受け入れ部２２に入ったＩＣコイン１０に関して、リードライト部２５による金額情報などの管理情報の読み取り不良又は書き込み不良が生じた場合は、制御部５０によって所定数のパルス信号が供給されて、ステッピングモータ２１が始動して、円盤状ロータ２３を図で時計方向回転させて、ＩＣコイン受け入れ部２２を不良ＩＣコイン排出部２８に対応した位置に停止させる。そして、ソレノイド３８の励磁によって、その入口を閉じていたシャッタ３６が退避することにより、不良ＩＣコイン排出部２８の入口が開放されるため、ＩＣコイン受け入れ部２２のＩＣコイン１０は支えを失って不良ＩＣコイン排出部２８に導入され、遊技媒体貸出機２の前面に設けた返却口１５へ返却する。なお、不良ＩＣコイン排出部２８に導入されたＩＣコイン１０は、不良ＩＣコイン貯留部３３に貯留される構成でもよい。この不良の状況は、表示器１２に表示される。
【００５７】
不良ＩＣコイン排出部２８には、そこを通貨するＩＣコイン１０の通過を非接触で検知する光センサ５２を備えている。この光センサ５２でＩＣコイン１０の通過を検知したとき、即ち、この光センサ５２をＩＣコイン１０が通過し終わったとき、励磁していたソレノイド３８を非励磁とするように、制御部５０によって制御する。ソレノイド３８の非励磁によって、シャッタ３６が突出して、不良ＩＣコイン排出部２８の入口が閉ざされる。シャッタ３６は、周囲壁４６と同じ円周上に配置されている。また、光センサ５２をＩＣコイン１０が通過し終わったとき、制御部５０によって所定数のパルス信号が供給されて、ステッピングモータ２１が回転して、円盤状ロータ２３を図では反時計方向回転させて、ＩＣコイン受け入れ部２２をＩＣコイン導入部２４に対応した待機位置に停止させる。この場合も上記同様に、円盤状ロータ２３の停止制御のために、円盤状ロータ２３の位置検知スイッチを設けて、この位置検知スイッチと前記所定数のパルス信号の何れかによって、円盤状ロータ２３が所定位置に達したこととなったとき、円盤状ロータ２３の停止制御を行うようにすればよい。
【００５８】
また、上記において、残額ゼロとなったときは、上記のように、ＩＣコイン受け入れ部２２のＩＣコイン１０をＩＣコイン貯留部２６に対応した位置において、出し入れ機構部４５によって、ＩＣコイン貯留筒４４へ収納するが、上記のように、１０枚のＩＣコイン１０が貯留されてＩＣコイン貯留筒４４が満杯の場合は、この収納動作を行わずに、制御部５０によってステッピングモータ２１が逆回転して円盤状ロータ２３を逆方向回転（図では時計方向回転）させて、ＩＣコイン受け入れ部２２をストック導入部２９に対応した位置に停止させる。そして、ソレノイド３８の励磁によって、その入口を閉じていたシャッタ３７が退避することにより、ストック導入部２９の入口が開放されるため、ＩＣコイン受け入れ部２２のＩＣコイン１０は支えを失って、ストック導入部２９に導入され、ＩＣコインストック部３４に貯留される。
【００５９】
ストック導入部２９には、そこを通貨するＩＣコイン１０の通過を非接触で検知する光センサ５３を備えている。この光センサ５３でＩＣコイン１０の通過を検知したとき、即ち、この光センサ５３をＩＣコイン１０が通過し終わったとき、励磁していたソレノイド３８を非励磁とするように、制御部５０によって制御する。ソレノイド３８の非励磁によって、シャッタ３７が突出して、ストック導入部２９の入口が閉ざされる。シャッタ３７は、周囲壁４６と同じ円周上に配置されている。また、光センサ５３をＩＣコイン１０が通過し終わったとき、制御部５０によって所定数のパルス信号が供給されて、ステッピングモータ２１が回転して、円盤状ロータ２３を図では反時計方向回転させて、ＩＣコイン受け入れ部２２をＩＣコイン導入部２４に対応した待機位置に停止させる。この場合も上記同様に、円盤状ロータ２３の停止制御のために、円盤状ロータ２３の位置検知スイッチを設けて、この位置検知スイッチと前記所定数のパルス信号の何れかによって、円盤状ロータ２３が所定位置に達したこととなったとき、円盤状ロータ２３の停止制御を行うようにすればよい。
【００６０】
また、上記のように１枚目のＩＣコイン１０による遊技が終了した状態で、挿入されていた２枚目のＩＣコイン１０によって遊技を開始する場合は、再度スタートボタンに相当する遊技媒体払い出しボタン１４を押すことによって、上記同様の動作が行われる。また、所定の金額情報を持つ新たなＩＣコインをＩＣコイン挿入口１３に挿入することにより、上記同様の動作を行うことができる。
【００６１】
次に、ＩＣコインをＩＣコイン挿入口１３に挿入するのではなく、貨幣の挿入によって遊技を行うことができる。この場合は、遊技媒体貸出機２の貨幣挿入口１１への貨幣（実施例では１０００円紙幣）の挿入に基づき、待機位置にあった円盤状ロータ２３が回転して、ＩＣコイン受け入れ部２２がＩＣコイン貯留部２６に対応した位置に停止し、出し入れ機構部４５によって、ＩＣコイン貯留部２６のＩＣコイン１０の１個が、ＩＣコイン受け入れ部２２に供給されて保持された後（ＩＣコイン１０の１個が、ＩＣコイン受け入れ部２２に供給されたことを検知スイッチで検知してもよい）、円盤状ロータ２３が待機位置に回転して停止する。この位置において、リードライト部２５によって貨幣金額相当の金額情報（実施例では、１０００円情報）の書き込みが行われ、その金額情報の数字１０００が表示器１２に表示される。
【００６２】
ここでスタートボタンに相当する遊技媒体払い出しボタン１４を押すことによって、遊技媒体供給部１９から１回の遊技に必要な数の遊技媒体（パチンコ玉やメダル等）を払い出し、この払い出された遊技媒体は、遊技媒体払い出し口ノズル１７を通して遊技機１の受け皿１Ｄへ供給される。この遊技媒体の払い出しと共に１回の遊技に必要な５００円相当の金額が制御部５０によって減算され、この残額がリードライト部２５によって、ＩＣコイン受け入れ部２２に保持されているＩＣコイン１０に書き込まれる。表示器１２には、この残額を示す数字５００が表示される。以後、前述のように、所定の金額情報を持ったＩＣコイン１０をＩＣコイン挿入口１３に挿入した場合と同様の動作が行われる。
【００６３】
上記構成において、ＩＣコイン１０には、金額情報の他に、遊技施設専用のＩＤコード、その遊技施設の１日の営業時間内でのみしようできるようにするための有効利用時間情報、遊戯媒体の払い出し可能な回数、その他の必要情報等、これらの管理情報（データ）がリードライト部２５によって書き込まれ、これらの管理情報（データ）がリードライト部２５によって読み出される。
【００６４】
本発明では、所定の金額情報を持ったＩＣコイン１０をＩＣコイン挿入口１３に挿入した場合と、遊技媒体貸出機２の貨幣挿入口１１への貨幣（実施例では１０００円紙幣）を挿入した場合のいずれにおいても、同様の動作を行うことができる。この場合、ＩＣコイン受け入れ部２２を備えた円盤状ロータ２３は、ステッピングモータで往復回転駆動されるように縦方向に支持されており、円盤状ロータ２３の待機位置は、ＩＣコイン受け入れ部２２がＩＣコイン導入部２４に対応した位置であり、円盤状ロータ２３の待機位置にあるＩＣコイン受け入れ部２２に対応してリードライト部２５が配置されている。このため、ＩＣコイン１０の情報の読み出しと情報の書き込み位置が同じとなり、情報の読み出しと情報の書き込みの都度、ＩＣコイン１０を情報の読み出し位置と情報の書き込み位置へ搬送する必要がなく、迅速化に適したものである。
【００６５】
また、円盤状ロータ２３の回転によって、ＩＣコイン貯留部２６と、円盤状ロータ２３の円周に沿って配置したＩＣコイン返却部２７、不良ＩＣコイン排出部２８、ストック導入部２９の何れかへ、ＩＣコイン受け入れ部２２の該当するＩＣコイン１０を搬送するものである。これによって、小型化に適したＩＣコイン処理装置となる。
【００６６】
また、円盤状ロータ２３の中心軸線Ｐに対して、一方側にＩＣコイン貯留部２６が配置され、他方側にＩＣコイン返却部２７、不良ＩＣコイン排出部２８、ストック導入部２９が配置されている。そして、ＩＣコイン返却部２７、不良ＩＣコイン排出部２８、ストック導入部２９は、ＩＣコイン受け入れ部２２のＩＣコイン１０が自体で下方へ移動する位置に設けられている。また、ＩＣコイン受け入れ部２２の入口は常時開放しており、ＩＣコイン返却部２７、不良ＩＣコイン排出部２８、ストック導入部２９のそれぞれの入口には、それらの入口を閉じるシャッタ３５、３６、３７が配置され、円盤状ロータ２３の回転によってＩＣコイン受け入れ部２２が対応する位置のシャッタがソレノイドによって開放状態となる。このため、一つのソレノイドによって３個のシャッタ３５、３６、３７の開閉を制御できるため、構成が簡素化されて動作が安定した小型化に適したＩＣコイン処理装置となる。
【００６７】
また、遊技媒体貸出機２への貨幣の挿入に基づき、円盤状ロータ２３が回転して、ＩＣコイン貯留部２６のＩＣコイン１個がＩＣコイン受け入れ部２２に供給されると共に、リードライト部２５において貨幣金額相当の金額情報の書き込みを行うため、金額情報の記憶されたＩＣコインを持っていなくても、遊技客は紙幣の挿入によって同じＩＣコイン処理装置を動作させて遊技を行うことができるため便利である。
【００６８】
また、ＩＣコイン貯留部２６は、円盤状ロータ２３の回転中心軸線Ｐと並行方向に向かって複数のＩＣコインが積層状態で貯留されるため、ＩＣコイン貯留部２６を円盤状ロータ２３の円周の外側にＩＣコインが順次連なるように長く形成した場合に比して、ＩＣコイン貯留部２６が小型になり、遊技機１間に設置される横幅の狭い遊技媒体貸出機２に内蔵することに適したＩＣコイン処理装置２０を提供することができる。
【産業上の利用可能性】
【００６９】
本発明は、上記実施形態に限定されず、本発明の技術的範囲を逸脱しない限り種々の変更が考えられ、それに係る種々の実施形態を包含するものである。
【図面の簡単な説明】
【００７０】
【図１】本発明に係るＩＣコイン処理装置を備えた遊技媒体貸出機の内部構成を説明する側面図である。（実施例１）
【図２】本発明に係るＩＣコイン処理装置を備えた遊技媒体貸出機の正面斜視図である。（実施例１）
【図３】本発明に係る遊技媒体貸出機と遊技機が併設された遊技装置の正面図である。（実施例１）
【図４】本発明に係る円盤状ロータとＩＣコイン処理装置の各部の関係を示す側面図である。（実施例１）
【図５】本発明に係るＩＣコイン処理装置の縦断面図である。（実施例１）
【符号の説明】
【００７１】
１・・・・遊技機
２・・・・遊技媒体貸出機
１０・・・紙幣識別装置
１１・・・貨幣（紙幣）挿入口
１２・・・表示器
１３・・・ＩＣコイン挿入口
１４・・・遊技媒体払い出しボタン
１５・・・ＩＣコイン返却口
１６・・・ＩＣコイン返却ボタン
１７・・・遊技媒体払い出し口ノズル
１８・・・紙幣識別装置
１９・・・遊技媒体供給部
２０・・・ＩＣコイン処理装置
２１・・・ステッピングモータ
２２・・・ＩＣコイン受け入れ部
２３・・・円盤状ロータ
２３Ａ・・円盤状ロータの中心軸
２４・・・ＩＣコイン導入部
２５・・・リードライト部
２６・・・ＩＣコイン貯留部
２７・・・ＩＣコイン返却部
２８・・・不良ＩＣコイン排出部
２９・・・ストック導入部
３０・・・第１基板
３１・・・第２基板
３２・・・軸受け
３３・・・不良ＩＣコイン貯留部
３４・・・ＩＣコインストック部
３５、３６、３７・・・シャッタ
５Ａ、３６Ａ、３７Ａ・・・シャッタの作動腕
３８・・・ソレノイド
４０・・・個数制限装置
４１・・・ソレノイド
４２Ａ・・上流側の突起
４２Ｂ・・下流側の突起
４３・・・軸支持
４４・・・ＩＣコイン貯留筒
４５・・・ＩＣコイン出し入れ機構部
４６・・・周囲壁
４７・・・外周歯車
４８・・・駆動歯車
４９・・・補助歯車
５０・・・制御部
５１、５２、５３・・・光センサ
５４、５５、５６・・・軸支持部
【図１】
2007260291.tif 000003
【図２】
2007260291.tif 000004
【図３】
2007260291.tif 000005
【図４】
2007260291.tif 000006
【図５】
2007260291.tif 000007